【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
近距離無線通信で周辺装置に関する情報を取得する取得手段と、
取得された前記情報に前記周辺装置のネットワークアドレスが含まれているか否かを判断する第１の判断手段と、
取得された前記情報に前記周辺装置の識別子が含まれているか否か判断する第２の判断手段と、
前記第１の判断手段が取得された前記情報に前記周辺装置のネットワークアドレスは含まれていないと判断して、かつ前記第２の判断手段が取得された前記情報に前記識別子は含まれていると判断した場合に、ネットワーク上の周辺装置を探索して、前記ネットワーク上の周辺装置から、取得された前記情報に含まれる前記識別子と同一の識別子が設定された周辺装置を特定する探索手段とを有することを特徴とする情報処理装置。
【請求項２】
前記第１の判断手段は、取得された前記情報にネットワークアドレスが含まれていても、前記ネットワークアドレスと通信不可能である場合に、取得された前記情報に前記周辺装置のネットワークアドレスは含まれていないと判断することを特徴とする請求項１に記載の情報処理装置。
【請求項３】
取得された前記情報にネットワークアドレスが含まれていない場合にエラーを表示する表示手段を更に有することを特徴とする請求項１乃至２のいずれか１項に記載の情報処理装置。
【請求項４】
前記探索手段は、確認画面を表示し、該確認画面に対して確認の入力があった場合に、探索を行うことを特徴とする請求項１乃至３のいずれか１項に記載の情報処理装置。
【請求項５】
前記探索手段により発見された周辺装置が１台の場合には、確認画面を表示し、該確認画面に対して確認の入力があった場合に、当該周辺装置と通信する通信手段を更に有することを特徴とする請求項１乃至４のいずれか１項に記載の情報処理装置。
【請求項６】
取得された前記情報に含まれる識別子と前記周辺装置のネットワークアドレスとを関連付けた管理テーブルを記憶する記憶手段と、
前記管理テーブルに、前記識別子と関連付けられた通信可能なネットワークアドレスが記憶されていれば、当該ネットワークアドレスの周辺装置と通信する通信手段と、を更に有し、
前記取得手段により取得した前記情報にネットワークアドレスも周辺装置の識別子も含まれていない場合には、前記管理テーブルに、前記識別子と関連付けられた通信可能なネットワークアドレスが記憶されていなければ、前記探索手段により周辺装置を探索することを特徴とする請求項１乃至４のいずれか１項に記載の情報処理装置。
【請求項７】
前記管理テーブルに、前記識別子と関連付けられた通信可能なネットワークアドレスが記憶されていなければ、前記探索手段により周辺装置を探索し、発見した周辺装置のネットワークアドレスと前記識別子とを前記管理テーブルに登録する登録手段を更に有することを特徴とする請求項６に記載の情報処理装置。
【請求項８】
コンピュータに、
近距離無線通信で周辺装置に関する情報を取得する取得工程と、
取得された前記情報に前記周辺装置のネットワークアドレスが含まれているか否かを判断する第１の判断工程と、
取得された前記情報に前記周辺装置の識別子が含まれているか否か判断する第２の判断工程と、
前記第１の判断工程で、取得された前記情報に前記周辺装置のネットワークアドレスは含まれていないと判断して、かつ前記第２の判断工程で、取得された前記情報に前記識別子は含まれていると判断した場合に、ネットワーク上の周辺装置を探索して、前記ネットワーク上の周辺装置から、取得された前記情報に含まれる前記識別子と同一の識別子が設定された周辺装置を特定する探索工程とを実行させることを特徴とするプログラム。
【請求項９】
前記第１の判断工程は、取得された前記情報にネットワークアドレスが含まれていても、前記ネットワークアドレスと通信不可能である場合に、取得された前記情報に前記周辺装置のアドレスは含まれていないと判断することを特徴とする請求項８に記載のプログラム。
【請求項１０】
前記コンピュータに、
取得された前記情報にネットワークアドレスが含まれていない場合にエラーを表示する表示工程を更に実行させることを特徴とする請求項８又は９に記載のプログラム。
【請求項１１】
前記探索工程は、確認画面を表示し、該確認画面に対して確認の入力があった場合に、探索を行うことを特徴とする請求項８乃至１０のいずれか１項に記載のプログラム。
【請求項１２】
前記コンピュータに、
前記探索工程により発見された周辺装置が１台の場合には、確認画面を表示し、該確認画面に対して確認の入力があった場合に、当該周辺装置と通信する通信工程を更に実行させることを特徴とする請求項８乃至１１のいずれか１項に記載のプログラム。
【請求項１３】
前記コンピュータに、
取得された前記情報に含まれる識別子と前記周辺装置のネットワークアドレスとを関連付けた管理テーブルを記憶する記憶工程と、
前記管理テーブルに、前記識別子と関連付けられた通信可能なネットワークアドレスが記憶されていれば、当該ネットワークアドレスの周辺装置と通信する通信工程と、を更に実行させ、
前記取得工程により取得した前記情報にネットワークアドレスも周辺装置の識別子も含まれていない場合には、前記管理テーブルに、前記識別子と関連付けられた通信可能なネットワークアドレスが記憶されていなければ、前記探索工程により周辺装置を探索することを特徴とする請求項８乃至１１のいずれか１項に記載のプログラム。
【請求項１４】
前記コンピュータに、
前記管理テーブルに、前記識別子と関連付けられた通信可能なネットワークアドレスが記憶されていなければ、前記探索工程により周辺装置を探索し、発見した周辺装置のネットワークアドレスと前記識別子とを前記管理テーブルに登録する登録工程を更に実行させることを特徴とする請求項１３に記載のプログラム。
【請求項１５】
近距離無線通信で周辺装置に関する情報を取得する取得工程と、
取得された前記情報に前記周辺装置のネットワークアドレスが含まれているか否かを判断する第１の判断工程と、
取得された前記情報に前記周辺装置の識別子が含まれているか否か判断する第２の判断工程と、
前記第１の判断工程で、取得された前記情報に前記周辺装置のネットワークアドレスは含まれていないと判断して、かつ前記第２の判断工程で、取得された前記情報に前記識別子は含まれていると判断した場合に、ネットワーク上の周辺装置を探索して、前記ネットワーク上の周辺装置から、取得された前記情報に含まれる前記識別子と同一の識別子が設定された周辺装置を特定する探索工程とを有することを特徴とする制御方法。
【手続補正２】
【補正対象書類名】明細書
【補正対象項目名】０００７
【補正方法】変更
【補正の内容】
【０００７】
上記の目的を達成するための本発明に係る情報処理装置は、
近距離無線通信で周辺装置に関する情報を取得する取得手段と、
取得された前記情報に前記周辺装置のネットワークアドレスが含まれているか否かを判断する第１の判断手段と、
取得された前記情報に前記周辺装置の識別子が含まれているか否か判断する第２の判断手段と、
前記第１の判断手段が取得された前記情報に前記周辺装置のネットワークアドレスは含まれていないと判断して、かつ前記第２の判断手段が取得された前記情報に前記識別子は含まれていると判断した場合に、ネットワーク上の周辺装置を探索して、前記ネットワーク上の周辺装置から、取得された前記情報に含まれる前記識別子と同一の識別子が設定された周辺装置を特定する探索手段とを有することを特徴とする。